(57)【要約】【課題】反射光を照明光とする反射面を複数、一列に配設した場合でも反射面間の連結部分の明るさの低下を抑制できる照明構造を提供する。【解決手段】一列に配列され、照明光として外部に向けて反射させる反射面２を有する複数の第１の反射板１，１０と、第１の反射板１の配列方向の一端部３に設けられ、第１の反射板１の反射面２からの光の反射方向と同じ方向に出射する光源３０と、光源３０からの光を第１の反射板１に向けて反射させる光反射面５１を有する第２の反射板５０と、を備える。光源３０の光の出射方向に重なる形で第１の反射板１と隣り合う第１の反射板１０の配列方向の他端部１３が設けられており、第２の反射板５０は、第１の反射板１０の配列方向の他端部１３と光源３０との間に設けられている。【選択図】図１
2013069469.tif 000002
【特許請求の範囲】
【請求項１】
一列に配列され、照明光として外部に向けて反射させる反射面を有する複数の第１の反射板と、
前記第１の反射板の配列方向の一端部にそれぞれ設けられ、前記第１の反射板の反射面からの光の反射方向と同じ方向に出射する光源と、
前記光源からの光を前記第１の反射板に向けて反射させる光反射面を有する第２の反射板と、を備え、
前記光源の光の出射方向に重なる形で第１の反射板と隣り合う第１の反射板の配列方向の他端部が設けられており、前記第２の反射板は、前記第１の反射板の配列方向の他端部と前記光源との間に設けられていることを特徴とする照明構造。
【請求項２】
前記光源を搭載する基板が前記第１の反射板の配列方向に沿って延在され、前記基板の幅寸法よりも前記第２の反射板の高さ寸法の方が小さいことを特徴とする請求項１に記載の照明構造。
【請求項３】
前記第２の反射板を一構成部材とするケースが設けられ、前記光源が前記ケースに配設されていることを特徴とする請求項１又は２に記載の照明構造。
【請求項４】
前記第２の反射板の光反射面と前記光源の光照射軸とのなす角度が、３０°以上６０°以下であることを特徴とする請求項１から３のいずれか一項に記載の照明構造。
【発明の詳細な説明】
【技術分野】
【０００１】
本発明は、照明構造に関する。
【背景技術】
【０００２】
従来から、ＬＥＤ光源からの光を反射面で反射させ、その反射光を照明光とする照明器具が知られている（例えば、特許文献１参照）。この照明器具は、反射面の一端部にＬＥＤ光源が設けられ、ＬＥＤ光源は基板に搭載され、その基板を支持する基板支持板が設けられている。このような照明器具において、特許文献１の図４７や図４８に示されるように、ＬＥＤ光源を一端部に有する反射面を複数、一列に配設する場合、反射面とその隣りの反射面との間には、ＬＥＤ光源を搭載する基板や基板支持板などが配置される。
【先行技術文献】
【特許文献】
【０００３】
【特許文献１】特開２００７−３００１３８号公報
【発明の概要】
【発明が解決しようとする課題】
【０００４】
上記したように反射面を複数、一列に配設することで、反射面からの反射光の出射領域が大きくなり、照明光の発光領域を大きくすることができる。
しかしながら、反射面とその隣りの反射面との間に配置されている基板や基板支持板などはそれ自体が発光しないため、照明器具の照明光は、反射面間の連結部分が反射面の部分よりも暗くなるなど明るさにムラがあり、見栄えが低下するという問題があった。
【０００５】
本発明は、以上のとおりの事情に鑑みてなされたものであり、反射光を照明光とする反射面を複数、一列に配設した場合でも反射面間の連結部分の明るさの低下を抑制できる照明構造を提供することを課題としている。
【課題を解決するための手段】
【０００６】
上記の課題を解決するために、本発明の照明構造は、一列に配列され、照明光として外部に向けて反射させる反射面を有する複数の第１の反射板と、前記第１の反射板の配列方向の一端部にそれぞれ設けられ、前記第１の反射板の反射面からの光の反射方向と同じ方向に出射する光源と、前記光源からの光を前記第１の反射板に向けて反射させる反射面を有する第２の反射板と、を備え、前記光源の光の出射方向に重なる形で第１の反射板と隣り合う第１の反射板の配列方向の他端部が設けられており、前記第２の反射板は、前記第１の反射板の配列方向の他端部と前記光源との間に設けられていることを特徴とする。
【０００７】
この照明構造においては、前記光源を搭載する基板が前記第１の反射板の配列方向に沿って延在され、前記基板の幅寸法よりも前記第２の反射板の高さ寸法の方が小さいことが好ましい。
【０００８】
この照明構造においては、前記第２の反射板を一構成部材とするケースが設けられ、前記光源が前記ケースに配設されていることが好ましい。
【０００９】
この照明構造においては、前記第２の反射板の反射面と前記光源の光照射軸とのなす角度が、３０°以上６０°以下であることが好ましい。
【発明の効果】
【００１０】
本発明によれば、反射光を照明光とする反射面を複数連続して配設した場合でも反射面間の連結部分の明るさの低下を抑制することができる照明構造を得ることができる。
【図面の簡単な説明】
【００１１】
【図１】本発明の照明構造の一実施形態を示す模式図であり、（ａ）は斜視図、（ｂ）は、（ａ）の照明構造のＡ−Ａ線断面図である。
【図２】（ａ）は、図１の照明構造に用いられる第１の反射板の斜視図であり、（ｂ）は、図１の照明構造に用いられるケースの斜視図である。
【図３】図１（ａ）のＢ−Ｂ線断面図である。
【図４】図１（ｂ）の照明構造のＣ部分の拡大断面図である。
【発明を実施するための形態】
【００１２】
以下、図面を参照して本発明の実施形態を説明する。
【００１３】
図１は、本発明の照明構造の一実施形態を示す模式図であり、（ａ）は斜視図、（ｂ）は、（ａ）の照明構造のＡ−Ａ線断面図である。図２（ａ）は、図１の照明構造に用いられる第１の反射板の斜視図であり、（ｂ）は、図１の照明構造に用いられるケースの斜視図である。図３は、図１（ａ）のＢ−Ｂ線断面図である。図４は、図１（ｂ）の照明構造のＣ部分の拡大断面図である。
【００１４】
本実施形態の照明構造は、図１に示されるように、第１の反射板１と第２の反射板５０と光源３０とを備えている。
【００１５】
第１の反射板１は、一方の側の面１ａに、反射面２を有しており、一端部３側から入射した光を矢印Ｌで示す方向に照明光として外部に向けて反射させる。
【００１６】
第１の反射板１は、反射率の高い剛性部材で形成することができ、その材質としては、例えばアルミニウムや鉄、これらを含む合金などの金属、白色系樹脂などの合成樹脂などを挙げることができる。この第１の反射板１は、長尺状に形成され、円弧状に湾曲する形状を有しており、曲面状の反射面２が、光が入射する一端部３側からその反対側に位置する他端部４まで延びている。反射面２には、鏡面仕上げ、白色仕上げ、銀蒸着などの処理によって光反射パターンを形成することもできる。
【００１７】
直線的に傾斜する構造を有する平板状の部材を第１の反射板として採用することもできる。このような傾斜構造を有する第１の反射板の場合、反射面は、平面状の傾斜面として形成される。また、湾曲する形状及び直線的に傾斜する構造を有する部材を第１の反射板として採用することもできる。
【００１８】
図１（ａ）、図２（ａ）及び図３に示されるように、第１の反射板１の短手方向両端部には、一対の板状の側壁５，５を設けることができる。この側壁５は、長手方向の一端部３のやや他端部４側寄りから他端部４まで延びている。側壁５は、第１の反射板１と一体に形成され、図３に示されるように、反射面２に対して略垂直方向に起立しており、一対の側壁５，５と第１の反射板１とから断面視Ｈ字状に形成されている。側壁５は、第１の反射板１と同様の反射率の高い剛性部材を採用することができる。また、側壁５の内側面５ａには、第１の反射板１と同様な光反射パターンを設けることもできる。このような側壁５は、第１の反射板１の反射面２からの反射光をその内側面５ａにて矢印Ｌで示す方向に効率よく反射させることができるので、一端部３側から入射した光を長手方向に亘って効果的に矢印Ｌで示す方向に照射することができる。
【００１９】
本実施形態の照明構造は、第１の反射板１とは別の第１の反射板１０が、一端部３側からの光の入射方向に沿って第１の反射板１と一列に配列されている。第１の反射板１の一端部３及び他端部４はそれぞれ、第１の反射板１の配列方向の一方の端部及び他方の端部として配置される。このとき、図４に示されるように、第１の反射板１０の配列方向の他端部１３が、その紙面において第１の反射板１の一端部３の直上に一定の間隔をおいて配置される。すなわち、第１の反射板１０の反射面１１側の外部から、矢印Ｌの方向とは反対方向に照明構造を見たときに、第１の反射板１０の他端部１３と第１の反射板１の一端部３とが重なるように、第１の反射板１０が配設される。このように第１の反射板１と第１の反射板１０とが配設されることによって、その連結部分の明るさの低下をより効果的に抑制することができ、外観を向上させることができる。
【００２０】
この本実施形態では、２つの第１の反射板１，１０が一列に配列されているが、その数はこれに限定されるものではなく、用途に応じて３つあるいは４つ以上の第１の反射板を一端部からの光の入射方向に沿って一列に配列することができる。
【００２１】
本実施形態の照明構造は、図１（ａ）に示されるように、第１の反射板１の反射面２側に、第１の反射板１を覆うカバー２０を設けることができる。このカバー２０は、一部材で構成されており、一列に配列された２つの第１の反射板１,１０を覆うようにその配列方向に沿って長尺状に形成されている。また、図３に示されるように、第１の反射板１の短手方向両端部の一対の側壁５，５を跨ぐように断面視コ字形状を有している。
【００２２】
カバー２０は、透明もしくは乳白色などの半透明の部材で構成され、その材質としては、例えばアクリル樹脂やポリカーボネートなどの透光性を有する合成樹脂などが挙げられる。また、このカバー２０は、光透過面に、プリズムなどの凹凸構造やレンズなどの光制御機能を設けることができる。
【００２３】
このようなカバー２０を設けることにより、意匠性に優れた照明構造とすることができる。また、反射面２からの反射光を長手方向に亘って均一に照射させることが可能であり、第１の反射板１と第１の反射板１０との連結部分の明るさの低下をより効果的に抑制することができる。さらに配光制御も可能であり、用途に応じてその機能を選択できるなど適用範囲の広い照明構造とすることができる。
【００２４】
図１（ｂ）に示されるように、第１の反射板１の一端部３には、光源３０が配設されている。この光源３０は、例えば、ＬＥＤなどの発光素子３１で構成され、平板状の基板３２に搭載されており、発光素子３１が基板３２とともにケース４０に収納されている。ケース４０内では、基板３２が、紙面に対して横置きに配置されている。つまり、基板３２は、第１の反射板１の配列方向に沿って延在しており、発光素子３１は、第１の反射板１の光の反射方向（矢印Ｌで示す方向）と同じ方向に出射するように配置されている。基板３２には複数の発光素子３１を配設することができる。発光素子３１に電力を供給する外部電源からの配線は、第１の反射板１の他方の側の面１ｂ側において通線することができる。
【００２５】
ケース４０は、第１の反射板１と同様、反射率の高い剛性部材で形成することができる。収納される発光素子３１の発熱を考慮すると、放熱性の良好な部材を使用することが望ましく、例えばアルミニウムで形成したケースを使用することが望ましい。
【００２６】
このケース４０は、図２（ｂ）に示されるように、矩形状の底壁４１と、この底壁４１の外周四辺のうち相対する二辺から底壁４１に対して略垂直方向に立ち上がる一対の側壁４２，４２とを有する。さらに、残る二辺のうち一辺には、底壁４１に対して所定の傾斜角度で直線的に傾斜する傾斜面４４を有する傾斜壁４３が形成されている。この傾斜壁４３は、第２の反射板５０を構成する。残る一辺は、底壁４１と一対の側壁４２，４２と傾斜壁４３とで囲まれて形成される矩形状の開口４５の縁部の一辺を構成する。
傾斜壁４３の傾斜面４４は、内側面４３ａに形成されており、発光素子３１からの光を反射させる光反射面５１を構成する。この光反射面５１には、第１の反射板１の反射面２と同様、光反射パターンを設けることもできる。
【００２７】
図４に示されるように、ケース４０は、第１の反射板１と隣り合う第１の反射板１０の他端部１３の他方の面１０ｂ側に位置する空間に設けられている。ここでは、ケース４０の開口４５が第１の反射板１の一端部３側に配置され、ケース４０の底壁４１の端面が第１の反射板１の一端部３に当接している。この底壁４１の内側面４１ａに発光素子３１を搭載する基板３２が保持、固定されており、上述したように横置きに基板３２が配置されている。基板３２に搭載されている発光素子３１は矢印Ｌで示す方向に向けて出射し、発光素子３１の光の出射方向に重なる形で第１の反射板１と隣り合う第１の反射板１０の配列方向の他端部１３が設けられている。また、第１の反射板１０の配列方向の他端部１３と発光素子３１との間には、第２の反射板５０を構成する傾斜壁４３が配置される。
【００２８】
発光素子３１から出射した光は、ケース４０の傾斜壁４３の傾斜面４４にて反射し、開口４５を通じて第１の反射板１の一端部３側に出射される。傾斜面４４からの反射光を第１の反射板１の一端部３側に効率よく入射させるために、ケース４０の開口４５の高さＴ１を第１の反射板１０の高さＴ２と同程度とするか、やや低くなるように設定することが望ましい。なお、開口４５の高さＴ１とは、底壁４１の先端部４８と傾斜壁４３の先端部４６との間の、発光素子３１の出射方向（矢印Ｌで示す方向）の距離である。第１の反射板１０の高さＴ２とは、他端部１３と一端部１２（図４では図示なし）との間の、反射面１１からの光の反射方向（矢印Ｌで示す方向）の距離である。
【００２９】
また、基板３２の幅寸法Ｘ、及び傾斜壁４３（第２の反射板５０）の高さ寸法Ｙが、Ｘ＞Ｙの関係になるように設計すると、照明構造を薄型化できるので望ましい。ここで、基板３２の幅寸法Ｘとは、基板３２における第１の反射板１の配列方向の長さであり、紙面では基板３２の左右方向の長さである。傾斜壁４３の高さ寸法Ｙとは、傾斜壁４３の先端部４６と基端部４７との間の、発光素子３１の出射方向（矢印Ｌで示す方向）の距離であり、紙面では傾斜壁４３の上下方向の長さである。
【００３０】
ケース４０の傾斜壁４３の傾斜面４４（第２の反射板５０の光反射面５１）は、この傾斜面４４にて反射させた光を第１の反射板１の一端部３側に向けて出射可能な傾斜角度を有していればよい。反射効率を考慮すると、傾斜壁４３の傾斜面４４（第２の反射板５０の光反射面５１）と発光素子３１の光照射軸Ｓとのなす角度θが３０°以上６０°以下であることが好ましい。なかでも４０°以上５０°以下が好ましく、特に４５°は光をより均一により遠くに反射させることができるので好適である。
【００３１】
以上のとおり、本実施形態の照明構造は、光源３０の光の出射方向に重なる形で第１の反射板１と隣り合う第１の反射板１０の配列方向の他端部１３が設けられており、第２の反射板５０は、第１の反射板１０の他端部１３と光源３０との間に設けられている。これによって、第１の反射板１，１０間の連結部分の明るさの低下を抑制することができる。
【００３２】
また、光源３０を搭載する基板３２が第１の反射板１の配列方向に沿って延在され、基板３２の幅寸法よりも第２の反射板５０の高さ寸法の方が小さく設計されている照明構造を薄型化することができる。しかも、第２の反射板５０が、光源３０を収納するケース４０の一構成部材で形成されているので、簡易な構成とすることができる。また、部品点数を削減できるなどコストを低減することもできる。さらに、ケース４０が第１の反射板１とは別部材で構成されているので、長手方向（配列方向）の長さが異なる様々な第１の反射板１を容易に組み合わせて使用できる。
【００３３】
さらにまた、本実施形態の照明構造は、第２の反射板５０の光反射面５１と光源３０の光照射軸Ｓとのなす角度θが３０°以上６０°以下とされているので、光源３０から光を第１の反射板１に向けて効率よく反射させることができる。
【００３４】
なお、一列に配列された複数の第１の反射板のうち光の入射する側の最端に位置する第１の反射板においては、光源の光を第２の反射板の光反射面にて反射させずに直接その第１の反射板の一端部側に光源の光を入射させることができる。反射面間の連結部分ではなく、明るさの低下が問題とならないからである。例えば、図１（ｂ）に示される照明構造の第１の反射板１０の一端部１２には、光源３０と第２の反射板５０が設けられている。ここでは、光源３０を搭載する基板３２を横置きにして光源３０の光を第２の反射板５０の光反射面５１にて反射させて第１の反射板１０の一端部１２側に入射させている。この基板３２を縦置きにし、光源３０からの光を直接第１の反射板１０に入射させることもできる。
【００３５】
以上、実施形態に基づき本発明を説明したが、本発明は上記の実施形態に何ら限定されるものではなく、その要旨を逸脱しない範囲内において各種の変更が可能である。例えば、第２の反射板は、ケースの一構成部材として傾斜壁を構成するものでなく、このケースとは別部材で形成することもできる。また、第１の反射板と第２の反射板とは一部材又は別部材とすることもできる。
【符号の説明】
【００３６】
１，１０  第１の反射板
２，１１  反射面
３，１２  一端部
４，１３  他端部
３０  光源
４０  ケース
５０  第２の反射板
５１  光反射面
【図１】
2013069469.tif 000003
【図２】
2013069469.tif 000004
【図３】
2013069469.tif 000005
【図４】
2013069469.tif 000006